(57)【要約】【課題】壁面を損傷することなく、空調機器を所望の高さに取り付け可能な空調機器の取付装置を提供することを目的とする。【解決手段】壁面１の前方の天井面２と床面３との間に突っ張り状態で支持される一対のポール７よりなる支持手段８と、支持手段８に設けられる空調機器１０を取り付ける取付手段１６とを備え、取付手段１６を支持手段８に高さ調節自在に設けたことにより、壁面１を損傷することなく空調機器１０を所望の高さに取り付け可能な空調機器の取付装置が得られる。【選択図】  図１
2004270960.tif 000002
【特許請求の範囲】
【請求項１】
天井面と床面との間に突っ張り状態で支持される一対のポールよりなる支持手段と、この支持手段に設けられる空調機器を取り付ける取付手段とを備え、前記取付手段を前記支持手段に高さ調節自在に設けた空調機器の取付装置。
【請求項２】
取付手段を複数種類の空調機器を交換自在に取り付けできる構成とした請求項１記載の空調機器の取付装置。
【請求項３】
ポールを下ポールと、下ポールに上下摺動自在に設けられる上ポールと、前記下ポールに上ポールを係止する係止手段とを設け、前記上ポール側に取付手段を設け、空調機器を取り付ける構成とした請求項１記載の空調機器の取付装置。
【請求項４】
係止手段をポールの略中間に設け、上ポールに設けた取付手段に取り付けられる空調機器を設け、この空調機器に設けられるフィルターの交換または清掃時に前記取付手段を介して前記空調機器を係止手段上に載置せしめる構成とした請求項１または３記載の空調機器の取付装置。
【請求項５】
種類の異なる空調機器を取り付けできる複数の取付手段を支持手段に複数段に設け、空調機器を取り付けない側の取付手段を空調機器以外の物品を掛けたり取り付けることができるとともに、支持手段の補強部材を兼用できる構成とした請求項１記載の空調機器の取付装置。
【請求項６】
支持手段を窓に対応する室内側に設け、前記支持手段に窓用エアコン等の空調機器を取り付ける構成とした請求項１記載の空調機器の取付装置。
【請求項７】
支持手段の中間位置より下方に取付手段を介して温風または乾燥風を送風する乾燥用機器からなる空調機器を取り付ける構成とした請求項１記載の空調機器の取付装置。
【発明の詳細な説明】
【０００１】
【発明の属する技術分野】
本発明は、天井面と床面との間に突っ張り状態にする一対の支持ポールにより空調機器を取り付ける空調機器の取付装置に関する。
【０００２】
【従来の技術】
従来、支持ポールを利用して温風乾燥機等の空調機器を取り付ける取付装置は、一本の支柱の上端を天井面に、下端を床面に設置した円板状乾燥機の中心に固定するように、支柱は、その端部に設けた固定ねじの調節により突っ張りポール状にされ、支柱には支柱の軸線に垂直の複数のハンガアームが軸方向に間隔をとって、軸線を中心に回動自在に設けられている（例えば特許文献１参照）。
【０００３】
また、生活空間のデットスペースを有効に活用するために壁部間に設けられる送風装置もあった（例えば特許文献２参照）。
【０００４】
また、窓を利用して機器を取り付けるものとして、窓枠の内側に支持柱を鉛直方向に支持し、支持柱の上部室内側に室内機保持部を、室外側に室外機保持部をそれぞれ設け、室内機保持部に室内機を、室外機保持部に室外機をそれぞれ取り付けるものもある（例えば特許文献３参照）。
【０００５】
【特許文献１】
実開平５−４４０９７号公報（［０００９］、図１）
【特許文献２】
特開２０００−３２９４５８号公報（［００２４］、図２、図４）
【特許文献３】
特開平９−２５７２７８号公報（［０００６］〜［０００８］、図１、図２）
【０００６】
【発明が解決しようとする課題】
このような従来の［特許文献１］の構成では、一本の支柱に複数のハンガーアームを設けているため、ハンガーアームに掛ける被乾燥物の重量がアンバランスとなって支柱が不安定になるとともに、温風乾燥機の取付位置が支柱の上下端に限定され高さ調整できないという課題があり、支柱を安定して取付けでき、温風乾燥機の取付高さも変更できることが要求されている。
【０００７】
また、［特許文献２］の構成では、中空支柱体をほぼ水平に支持するための支持部材を壁面に取り付けねばならず、支持強度の弱い壁面や、壁面への加工が許されない賃貸マンションや借家等においては使用できないという課題があり、壁面を加工せずに機器を取り付けできることが要求されている。
【０００８】
また、［特許文献３］の構成では、窓枠に支柱を設け、壁面に貫通孔を加工しなくてもルームエアコンを取り付けできるが、窓の開口部分に支柱が有るため窓の有効面積が減少するとともに、支柱を利用して複数種類の機器を取り付けることができないという課題があり、窓の有効面積を減少することなく、複数種類の機器の取り付けに対応できるようにすることが要求されている。
【０００９】
本発明は、上記課題を解決するもので、壁面を損傷することなく複数種類の機器を交換して所望の高さに安定して取り付け可能な空調機器の取付装置を提供することを目的としている。
【００１０】
【課題を解決するための手段】
本発明の空調機器の取付装置は、上記目的を達成するために、天井面と床面との間に突っ張り状態で支持される一対のポールよりなる支持手段と、この支持手段に設けられる空調機器を取り付ける取付手段とを備え、前記取付手段を前記支持手段に高さ調節自在に設けた構成とする。
【００１１】
本発明によれば、壁面を損傷することなく複数種類の機器を交換して所望の高さに安定して取り付け可能な空調機器の取付装置が得られる。
【００１２】
【発明の実施の形態】
本発明は、天井面と床面との間に突っ張り状態で支持される一対のポールよりなる支持手段と、この支持手段に設けられる空調機器を取り付ける取付手段とを備え、前記取付手段を前記支持手段に高さ調節自在に設けたものであり、取付手段に取り付けられる空調機器を使用者の所望する高さに調節ができることとなり、壁面を損傷することなく、空調機器を所望の高さに取り付けることができるという作用を有する。
【００１３】
以下、本発明の実施例について図面を参照しながら説明する。
【００１４】
【実施例】
（実施例１）
図１〜図６に示すように、壁面１前方の天井面２と床面３との間に突っ張り状態で支持される支持手段８は、下ポール４に上ポール５を係止する係止手段６を介して上下摺動自在に設けられる一対のポール７により形成される。
【００１５】
支持手段８が突っ張る天井面２が弱いときは、当て板９を天井面２に設け、当て板９を介して支持するように設ける。
【００１６】
そして、支持手段８に空調機器１０を取り付ける取付板１１と、支持手段８を補強する補強部材１２を設け、取付板１１は支持手段８の上ポール４側に上下摺動自在にねじ１３により係止され、高さ調節できるように設ける。取付板１１には複数種類の空調機器１０を交換して取り付けられる引掛部１４を備えた取付部材１５を設け、取付板１１と取付部材１５により取付手段１６を形成する。
【００１７】
上記構成において、空調機器１０として空気清浄機１７を取り付ける場合には、壁面１の前方の天井面２と床面３に一対のポール７を係止手段６を操作して突っ張り状態に支持し支持手段８を設け、支持手段８に高さ調節自在に設けられる取付手段１６の取付板１１に取付部材１５を介して空気清浄機１７を取り付ける。
【００１８】
そして、空気清浄機１７を運転すると室内の汚染された空気が空気清浄機１７に吸い込まれ、空気清浄機１７内に設けられたフィルター１７Ａにより集塵され、清浄化された空気が室内に供給される。
【００１９】
また、空気清浄機１７の内部に設けたフィルター１７Ａを掃除または交換するときには空気清浄機１７を取り付けている取付板１１のねじ１３を緩め、取付板１１を上ポール５を摺動させながら下降すると、係止手段６の位置で取付板１１が当接し受け止められる。このとき空気清浄機１７は使用者の目の高さ位置まで下げることができ、吸込グリル１７Ｂの取外しとフィルター１７Ａの掃除または交換作業を容易に行なうことができる。
【００２０】
次に、冬期において暖房を行いたいときには、図５に示すように空調機器１０として温風機１８を支持手段８に支持されている取付手段１６の取付部材１５に設けた引掛部１４に取り付け、温風機１８から送出される温風により暖房を行うことができる。
【００２１】
また、夏期において、涼風を受けたいときには、図６に示すように、扇風機１９を支持手段８に支持されている取付手段１６の取付部材１５に設けた引掛部１４に取り付け、扇風機１９から涼風を送り出すことができる。
【００２２】
このように本発明の実施例１の空調機器の取付装置によれば、天井面２と床面３との間に突っ張り状態で支持される一対のポール７よりなる支持手段８と、この支持手段８に設けられる空調機器１０を取り付ける取付板１１と取付部材１５よりなる取付手段１６とを備え、取付手段１６を支持手段８に高さ調節自在に設けたので、室内の壁面１や天井面２を損傷することなく、また、壁面１の制約を受けることなく、所望の高さに空調機器１を取り付けが可能となるとともに、身長の異なる人や、部屋のレイアウトに対応した最適高さで空調機器１０を取り付け使用することができる。
【００２３】
また、取付手段１６を温風機１８または扇風機１９等よりなる複数種類の空調機器１０を交換自在に取り付けできる構成としたので、冬期には温風機１８等の暖房機器を、また、夏期には扇風機１９等の送風機器を取り付けることができ、季節毎に異なる空調機器１０を簡単に取り替えて使用することができる。
【００２４】
また、ポール７を下ポール４と、下ポール４に上下自在に設けられる上ポール５と、下ポール４に上ポール５を係止する係止手段６とを設け、上ポール５側に空調機器１０を取り付ける取付手段１６を設けたので、取付手段１６を上ポール５に取り付けているねじ１３がゆるんでも、取付手段１６は係止手段６により受け止められ、取付手段１６に取り付けられている空調機器１０が床面３近くまで滑り落ちるのが防止され、安全性が高められることとなる。
【００２５】
また、係止手段６をポール７の略中間に設け、上ポール５に設けた取付手段１６に取り付けられる空調機器１０として空気清浄機１７を設け、空気清浄機１７に設けられるフィルターの交換または清掃時に、取付手段１６を介して空気清浄機１７を係止手段６上に載置せしめる構成としたので、空気清浄機１７を目の高さまで降ろして扱うことができるので、吸込グリル１７Ｂの取外しとフィルター１７Ａの交換や清掃を安定した姿勢で、安全かつ容易に行うことができる。
【００２６】
（実施例２）
図７および図８に示すように、扇風機１９または、温風機１８のように種類の異なる空調機器１０を取り付けできる取付手段１６Ａ、１６Ｂを支持手段８Ａに複数段に設け、扇風機１９または温風機１８等の空調機器１０を取り付けていない側の取付手段１６Ａまたは１６Ｂの引掛部１４、１４Ａに空調機器１０以外の棚板２５Ａやタオル掛け２５Ｂを着脱可能に取り付けるとともに、一対の支持手段８Ａの補強部材に兼用できるようにする。
【００２７】
上記構成において、図７に示すように扇風機１９を空調機器１０として取付手段１６Ａに取り付けた場合には、取付手段１６Ｂの引掛部１４に棚板２５Ａを追加で取付けて便利に使用するとともに、支持手段８Ａを安定して補強する補強部材を兼用できるようにする。
【００２８】
また、図８に示すように、温風機１８を空調機器１０として取付手段１６Ｂに取り付けた場合には、取付手段１６Ａの引掛部１４Ａにタオル掛け２５Ｂを追加で取り付けするとともに、支持手段８Ａを補強する補強部材を兼用できるようにする。
【００２９】
このように本発明の実施例２の空調機器の取付装置によれば、扇風機１９または温風機１８等の種類の異なる空調機器１０を取り付けできる複数の取付手段１６Ａ、１６Ｂを支持手段８Ａに複数段に設け、扇風機１９または温風機１８等の空調機器１０を取り付けていない側の取付手段１６Ａまたは１６Ｂを空調機器１０以外の棚板２５Ａやタオル掛け２５Ｂなどを取付け可能にするとともに、支持手段８Ａの補強部材を兼用できる構成としたので、空調機器１０の取り付けに利用していない取付手段１６Ａまたは１６Ｂを有効利用することができる。
【００３０】
（実施例３）
図９に示すように、支持手段８Ｂを窓２０に対応する室内側に取付手段１６Ｃを介して設け、支持手段８Ｂに窓用エアコン２１などの空調機器１０を取り付けることにより、窓２０の開閉および施錠は自由にできるようになっている。
【００３１】
上記構成において、夏期には窓２０に対応する室内側に支持手段８Ｂを設け、支持手段８Ｂに取付手段１６Ｃを介して窓用エアコン２１からなる空調機器１０を取り付ける。窓２０を一部開放した状態で、窓用エアコン２１を運転し、運転しないときは窓を閉めて確実に施錠できるようにする。また春秋に使用を中止するときには、窓用エアコン２１および支持手段８Ｂを簡単に取り外して窓２０の開口面を広げ、風通しと彩光を良くすることができる。
【００３２】
このように本発明の実施例３の空調機器の取付装置によれば、支持手段８Ｂを窓２０に対応する室内側に設け、支持手段８Ｂに窓用エアコン２１等の空調機器１０を取り付ける構成としたので、夏期には窓用エアコン２１を設けても窓の開閉が自由で施錠も確実に行なえ、春秋には窓用エアコン２１を簡単に取り外すことにより窓を開放的に使用することができる。
【００３３】
（実施例４）
図１０および図１１に示すように、支持手段８Ｃの中間位置より下方に取付手段１６Ｄを介して温風を発生する乾燥用機器２２からなる空調機器１０を取り付ける構成とする。
【００３４】
上記構成において、図１０に示すようにふとんなどの寝具２３または洗濯物２４を乾燥する場合には、乾燥用機器２２から送風される温風をふとんなどの寝具２３または図１１に示すように洗濯物２４に接触させて乾燥を行う。このとき、乾燥用機器２２からなる空調機器１０は支持手段８Ｃの中間位置より下方に取り付けられていることにより、ふとんなどの寝具２３は敷いた状態で乾燥することが可能となる。
【００３５】
このように本発明の実施例４の空調機器の取付装置によれば、支持手段８Ｃの中間位置より下方に取付手段１６Ｄを介して温風または乾燥風を送風する乾燥用機器２２からなる空調機器１０を取り付ける構成としたので、ふとん２３は敷いた状態で乾燥できるとともに洗濯物も同一場所で乾燥することが可能となり、使い勝手が良く便利に乾燥することができる。
【００３６】
【発明の効果】
以上の実施例から明らかなように、本発明によれば天井面と床面との間に突っ張り状態で支持される一対のポールよりなる支持手段と、この支持手段に設けられる空調機器を取り付ける取付手段とを備え、前記取付手段を前記支持手段に高さ調節自在に設けたので、壁面を損傷することなく、空調機器を所望の高さに取り付けできるという効果のある空調機器の取付装置を提供することができる。
【００３７】
また、取付手段を複数種類の空調機器を交換自在に取り付けできる構成としたので、季節毎に種類の異なる空調機器を簡単に取り替えて使用できる。
【００３８】
また、ポールを下ポールと、下ポールに上下自在に設けられる上ポールと、前記下ポールに上ポールを係止する係止手段とを設け、前記上ポール側に取付手段を設け、空調機器を取り付ける構成としたので、上ポールに取り付けていた取付手段がゆるみ空調機器が降下しても、取付手段は支持手段に受け止められることとなり安全性が高められる。
【００３９】
また、係止手段をポールの略中間に設け、上ポールに設けた取付手段に取り付けられる空調機器を設け、前記空調機器に設けられるフィルターの交換または清掃時に、前記取付手段を介して前記空調機器を係止手段上に載置せしめる構成としたので、通常使用時は室内の上方位置で空調機能や空気浄化機能を効果的に発揮し、メンテナンス時は空調機器を係止手段までスライドしてフィルター交換や清掃作業を安定した姿勢で安全かつ容易に行うことができる。
【００４０】
また、種類の異なる空調機器を取り付けできる複数の取付手段を支持手段に複数段に設け、空調機器を取り付けない取付手段を空調機器以外の物品を掛けたり取り付けることができるとともに、支持手段の補強部材を兼用できる構成としたので、空調機器の取り付けに利用されない取付手段を、補強部材等に有効利用することができる。
【００４１】
また、支持手段を窓に対応する室内側に設け、前記支持手段に窓用エアコン等の空調機器を取り付ける構成としたので、窓の開閉が容易に行なえ窓の施錠が確実にできるとともに、春秋に使用しない場合は簡単に取り外して窓の開口面を広くとり、自然の風と光を取り入れることができる。
【００４２】
また、支持手段の中間位置より下方に取付手段を介して温風または乾燥風を送風する乾燥用機器からなる空調機器を取り付ける構成としたので、ふとんや洗濯物を簡単かつ便利に乾燥することができる。
【図面の簡単な説明】
【図１】本発明の実施例１の空調機器の取付装置の機器取付前の状態を示す斜視図
【図２】同空調機器の取付装置により機器を取り付けた状態を示す斜視図
【図３】同空調機器の取付装置により機器を下げた状態を示す斜視図
【図４】同空調機器の取付装置により機器よりフィルターを外している状態を示す斜視図
【図５】同空調機器の取付装置により温風機取付前の状態を示す斜視図
【図６】同空調機器の取付装置により扇風機を取り付けた状態を示す斜視図
【図７】本発明の実施例２の空調機器の取付装置により扇風機を取り付けた状態を示す斜視図
【図８】同空調機器の取付装置により温風機を取り付けた状態を示す斜視図
【図９】本発明の実施例３の空調機器の取付装置により機器を取り付けた状態を示す斜視図
【図１０】本発明の実施例４の空調機器の取付装置により機器を取り付けた状態を示す斜視図
【図１１】同空調機器の取付装置に機器の別の使用状態を示す斜視図
【符号の説明】
２    天井面
３    床面
４    下ポール
５    上ポール
６    係止手段
７    ポール
８    支持手段
８Ａ  支持手段
８Ｂ  支持手段
８Ｃ  支持手段
１０  空調機器
１６  取付手段
１６Ａ  取付手段
１６Ｂ  取付手段
１６Ｃ  取付手段
１６Ｄ  取付手段
１７  空気清浄機（空調機器）
１８  温風機（空調機器）
１９  扇風機（空調機器）
２０  窓
２１  窓用エアコン（空調機器）
２２  乾燥用機器（空調機器）
【図１】
2004270960.tif 000003
【図２】
2004270960.tif 000004
【図３】
2004270960.tif 000005
【図４】
2004270960.tif 000006
【図５】
2004270960.tif 000007
【図６】
2004270960.tif 000008
【図７】
2004270960.tif 000009
【図８】
2004270960.tif 000010
【図９】
2004270960.tif 000011
【図１０】
2004270960.tif 000012
【図１１】
2004270960.tif 000013